(57)【要約】【課題】ユーザが検索キーワードのランキングから、トレンド情報を検索しやすくする技術を提供する。【解決手段】キーワード検索のログ情報から検索キーワード毎の使用回数を集計し、集計結果をユーザクライアントへ送信する検索キーワード情報提供装置に、検索キーワード群同士の関連度合いを表すデータを取得する手段と、ユーザクライアントから送信された、前記集計結果の中から選択された検索キーワードと関連度合いの強い検索キーワード群を、前記関連度合いを表すデータから抽出する手段と、前記関連度合いの強い検索キーワード群を含む情報をユーザクライアントへ送信する手段とを備える。【選択図】  図１
2004348554.tif 000002
【特許請求の範囲】
【請求項１】
キーワード検索のログ情報から検索キーワード毎の使用回数を集計し、集計結果をユーザクライアントへ送信する検索キーワード情報提供装置において、
検索キーワード群同士の関連度合いを表すデータを取得する手段と、
ユーザクライアントから送信された、前記集計結果の中から選択された検索キーワードと関連度合いの強い検索キーワード群を、前記関連度合いを表すデータから抽出する手段と、
前記関連度合いの強い検索キーワード群を含む情報をユーザクライアントへ送信する手段と
を備えることを特徴とする検索キーワード情報提供装置。
【請求項２】
前記関連度合いの強い検索キーワード群を含む情報は、当該検索キーワード群のうち１つのみの検索キーワードをユーザクライアントにて選択できるようにする選択制限情報とＡＮＤ検索演算子とを含む請求項１に記載の検索キーワード情報提供装置。
【請求項３】
前記関連度合いの強い検索キーワード群を含む情報は、前記集計結果の中から選択された検索キーワードと前記検索キーワード群との間で任意の検索条件を設定可能な検索条件設定画面をユーザクライアントにて表示するための情報を含む請求項１に記載の検索キーワード情報提供装置。
【請求項４】
キーワード検索のログ情報から検索キーワード毎の使用回数を集計し、集計結果をユーザクライアントへ送信する検索キーワード情報提供装置における処理の方法であって、
検索キーワード群同士の関連度合いを表すデータを取得するステップと、
ユーザクライアントから送信された、前記集計結果の中から選択された検索キーワードと関連度合いの強い検索キーワード群を、前記関連度合いを表すデータから抽出するステップと、
前記関連度合いの強い検索キーワード群を含む情報をユーザクライアントへ送信するステップと
を備えることを特徴とする方法。
【請求項５】
前記関連度合いの強い検索キーワード群を含む情報は、当該検索キーワード群のうち１つのみの検索キーワードをユーザクライアントにて選択できるようにする選択制限情報とＡＮＤ検索演算子とを含む請求項４に記載の方法。
【請求項６】
前記関連度合いの強い検索キーワード群を含む情報は、前記集計結果の中から選択された検索キーワードと前記検索キーワード群との間で任意の検索条件を設定可能な検索条件設定画面をユーザクライアントにて表示するための情報を含む請求項４に記載の方法。
【請求項７】
キーワード検索のログ情報から検索キーワード毎の使用回数を集計し、集計結果をユーザクライアントへ送信するための検索キーワード情報提供装置に、
検索キーワード群同士の関連度合いを表すデータを取得する手順と、
ユーザクライアントから送信された、前記集計結果の中から選択された検索キーワードと関連度合いの強い検索キーワード群を、前記関連度合いを表すデータから抽出する手順と、
前記関連度合いの強い検索キーワード群を含む情報をユーザクライアントへ送信する手順と
を実行させるプログラム。
【請求項８】
前記関連度合いの強い検索キーワード群を含む情報は、当該検索キーワード群のうち１つのみの検索キーワードをユーザクライアントにて選択できるようにする選択制限情報とＡＮＤ検索演算子とを含む請求項７に記載のプログラム。
【請求項９】
前記関連度合いの強い検索キーワード群を含む情報は、前記集計結果の中から選択された検索キーワードと前記検索キーワード群との間で任意の検索条件を設定可能な検索条件設定画面をユーザクライアントにて表示するための情報を含む請求項７に記載のプログラム。
【請求項１０】
請求項７ないし９のうちいずれか１項記載のプログラムを格納したコンピュータ読み取り可能な記録媒体。
【発明の詳細な説明】
【０００１】
【発明の属する技術分野】
本発明は、例えば音楽や映画、ニュース記事、Ｗｅｂ文書といったマルチメディアコンテンツ（以降、マルチメディアコンテンツのことを単にコンテンツと称する）をインターネット等のネットワークを介して一般ユーザへ配信する配信サービスや、各種のホームページを紹介するポータルサービスなどに適用され、これらのサービスを利用しているユーザに、キーワード検索によって入力された検索キーワードの使用状況を視覚化して提供する検索キーワード情報表示技術に関する。
【０００２】
【従来の技術】
従来から、インターネットなどのネットワーク上で公開されているコンテンツを検索する手段としてキーワード検索が利用されている。そして、ユーザによって入力されたキーワード自体がユーザのニーズを表しているものとみなし、これをトレンドの指標として、入力された全検索キーワード毎の利用回数を１週間単位で集計し、利用回数の多いものから順にランキングとして、ユーザへリスト形式で公開することで、現在どの事象に世の中の関心が集まっているかといったトレンド情報を提供する技術がある（参考：ｈｔｔｐ：／／ｗｗｗ．ｌｙｃｏｓ．ｃｏ．ｊｐ／５０／（２００３年３月２０日現在のＵＲＬ））。本技術においては、リスト形式で表示された検索キーワードを選択することにより、選択された検索キーワードによるキーワード検索結果が表示される。
【０００３】
なお、検索に関連する従来技術として特許文献１、特許文献２に開示された技術がある。
【０００４】
【特許文献１】
特開平１０−３２０４１９号公報
【０００５】
【特許文献２】
特開平１０−２１８８８１号公報
【０００６】
【発明が解決しようとする課題】
しかしながら、前述の従来技術においては、次のような問題がある。
【０００７】
例えば「今月に大相撲のある力士が引退した」という事象があったため、トレンドとして世間の注目がこの事象に注がれ、この引退に関する情報を検索する目的で「大相撲」が使用回数ランキング上位に表示されており、この「大相撲」から「今月に大相撲のある力士が引退した」という事象があったことに気付き、この事象に関する情報を検索するために、ランキング表示中の「大相撲」を選択したとする。
【０００８】
しかし、従来技術では単にこの「大相撲」によるキーワード検索が実行されるのみで、検索結果には、本来ユーザが検索対象としている「今月に大相撲のある力士が引退した」という事象についての情報以外に、単に「大相撲」に関係のある「番付」や「取り組み」といった所望の情報と無関係な情報が多数含まれてしまう。
【０００９】
このため、検索対象である「今月に大相撲のある力士が引退した」という事象についての情報が他の情報の中に埋もれてしまい、ユーザが「今月に大相撲のある力士が引退した」という事象についての情報を探し出しにくくなるといった問題点がある。
【００１０】
本発明は上記の問題に鑑みてなされたものであり、ユーザが検索キーワードのランキングから、トレンド情報を検索しやすくする技術を提供することを目的とする。
【００１１】
【課題を解決するための手段】
上記の課題は、キーワード検索のログ情報から検索キーワード毎の使用回数を集計し、集計結果をユーザクライアントへ送信する検索キーワード情報提供装置に、検索キーワード群同士の関連度合いを表すデータを取得する手段と、ユーザクライアントから送信された、前記集計結果の中から選択された検索キーワードと関連度合いの強い検索キーワード群を、前記関連度合いを表すデータから抽出する手段と、前記関連度合いの強い検索キーワード群を含む情報をユーザクライアントへ送信する手段とを備えることにより解決される。
【００１２】
本発明によれば、ユーザクライアントが、集計結果の中から選択された検索キーワードと関連度合いの強い検索キーワードを受信できるようになるので、検索範囲を適切に絞ることが可能となり、所望の情報を検索しやすくなる。
【００１３】
前記関連度合いの強い検索キーワード群を含む情報は、当該検索キーワード群のうち１つのみの検索キーワードをユーザクライアントにて選択できるようにする選択制限情報とＡＮＤ検索演算子とを含むようにすることができる。
【００１４】
本発明によれば、ユーザクライアントにおけるユーザは容易にＡＮＤ検索を実行することができ、所望の情報を効率良く検索できる。
【００１５】
また、前記関連度合いの強い検索キーワード群を含む情報は、前記集計結果の中から選択された検索キーワードと前記検索キーワード群との間で任意の検索条件を設定可能な検索条件設定画面をユーザクライアントにて表示するための情報を含むようにしてもよい。
【００１６】
本発明によれば、ユーザクライアントにおけるユーザは容易に任意の検索条件を設定できるので、所望の情報を効率良く検索できる。
【００１７】
【発明の実施の形態】
以下、本発明の実施の形態について図面を参照して、実施の形態１及び実施の形態２について説明する。なお、両実施の形態の違いは、検索条件の設定の違いにある。
【００１８】
実施の形態１は、ユーザクライアント上に表示される検索キーワードランキング一覧の中から任意に検索キーワードが選択された後に表示される検索条件設定画面において、選択された検索キーワードと、関連キーワード群のうち任意に選択された１つの関連キーワードとのＡＮＤ検索をするための検索条件を設定する場合の実施の形態である。
【００１９】
一方、実施の形態２は、ユーザクライアント上に表示される検索キーワードランキング一覧の中から任意に検索キーワードが選択された後に表示される検索条件設定画面において、選択された検索キーワードと、関連キーワード群とによる検索条件を自由に設定する場合の実施の形態である。
【００２０】
なお、本明細書における“検索キーワード”は「単語」を意味し、検索式（例えば、“大相撲  ａｎｄ  引退”）は含まない。
【００２１】
実施の形態１及び実施の形態２ともに、「今月に大相撲のある力士が引退した」という事象があったため、トレンドとして世間の注目がこの事象に注がれ、この引退に関する情報を検索する目的で「大相撲」が使用回数ランキング上位に表示されており、この「大相撲」から「今月に大相撲のある力士が引退した」という事象があったことに気付き、この事象に関する情報として、この事象に関するニュース記事を検索する場合を想定するものとする。ただし、本実施の形態では、検索対象としてニュース記事であるテキスト情報を扱っているが、本発明の検索対象は、テキスト情報に限定するものではなく、テキスト、音声、画像、動画といったマルチメディアデーター般を対象としている。
【００２２】
図１は本発明の実施の形態１及び実施の形態２に共通するシステム構成図である。
【００２３】
本システムはコンテンツ及び検索キーワードに対するアクセス情報を参照するためのユーザクライアント１０１、コンテンツの実体を提供するコンテンツ提供サーバ１０３、検索キーワードログのログ情報から作成されるアクセス情報をユーザクライアント１０１へ提供するアクセス情報提供サーバ１０４（検索キーワード情報提供装置ともいう）、及びユーザクライアント１０１に提供されたアクセス情報からの検索要求に基づき検索を行う検索エンジン１１０から構成される。なお、検索エンジン１１０は、検索エンジン機能を有するサーバである。また、ユーザクライアント１０１は例えばＷｅｂブラウザ機能を有し、各サーバと情報の送受信を行うことが可能なように構成されている。
【００２４】
アクセス情報提供サーバ１０４は、複数のユーザクライアント端末上で入力又は選択された検索キーワードを含む情報を検索エンジン１１０を介してログ情報として格納する検索キーワードログ情報処理部１０６、検索キーワードログ情報処理部１０６に格納されたログ情報を用いて所定の期間（例えば１週間）における検索キーワードの使用回数の集計と各検索キーワード間の関連度合いの強さ（以後、相関度と呼ぶこととする）の算出を行うアクセス情報集計処理部１０７、アクセス情報集計処理部１０７にて集計された検索キーワードログの集計結果データ（使用回数の集計結果）を格納しておく集計結果格納部１０８、アクセス情報集計処理部１０７にて算出された各検索キーワード間の相関度を用いて、ユーザクライアント１０１に表示されている検索キーワードランキングにおいて、ユーザが選択した検索キーワードと関連度合いの強いキーワードを選択し、検索条件情報を作成する検索条件作成処理部１０９、ユーザクライアント１０１との通信処理を行う通信処理部１０５を有している。
【００２５】
なお、ユーザクライアント１０１、コンテンツ提供サーバ１０３、アクセス情報提供サーバ１０４、検索エンジン１１０はそれぞれインターネット網１０２を介して接続されているが、これはインターネット網に限定するものではなく、ＷＡＮやＬＡＮといった閉じたネットワーク網を利用してもよい。
【００２６】
まず、実施の形態１及び実施の形態２に共通する検索条件情報の作成処理について説明する。
【００２７】
上記のように、アクセス情報集計処理部１０８は検索キーワードログ情報処理部１０６に格納されたログ情報を用いて所定の期間における検索キーワードの使用回数の集計と各検索キーワード間の相関度の算出を行う。検索キーワードの使用回数の集計結果を用いて、従来技術と同様の検索キーワードランキングをユーザクライアント１０１に表示できる。
【００２８】
各検索キーワード間の相関度は、例えば図２に示すようなマトリックス型のデータとして作成される。検索条件作成処理部１０９は、図２に示すマトリックス型の検索キーワード間の相関度データを受け取り、この相関度データからユーザクライアント１０１上に表示されている検索キーワードランキングからユーザが選択した検索キーワードを探し出し、相関度の高い（相関度の値が大きいほど、関連度合いが強い）キーワードを上位Ｎ件選択する。上位Ｎ件選択する代わりに、予め定めた相関度の値以上のキーワードを選択するようにしてもよい。実施の形態２でも同様である。なお、“関連度合いが強い”とは、上記のように、相関度が他との比較で所定の順位以上であること（上位Ｎ件に相当）、相関度が予め定めた値以上であること等、のことをいう。
【００２９】
これにより、ユーザが選択した検索キーワードと相関度の高い検索キーワード上位Ｎ件とを有する検索条件情報が作成される。
【００３０】
上記マトリックス型の相関度データの作成については、特開平１０−３２０４１９号公報に記載されている方法を用いることとし、算出方法の詳細説明は省略する。すなわち、検索キーワードログ情報処理部１０６に蓄積されている、これまでに複数のユーザクライアント端末上で入力又は選択した検索キーワードのログ情報に含まれる検索キーワード全てに対し、他の検索キーワードログ情報である検索キーワードとの相関係数を特開平１０−３２０４１９号公報に記載されている方法を用いて算出する。なお、検索キーワードログ情報処理部１０６は、特開平１０−３２０４１９号公報に記載された方法で相関度データを作成するために必要な情報（検索ユーザ情報、検索時刻、検索式等）を含むログ情報を作成し、蓄積する。
【００３１】
なお、上記の相関度データをアクセス情報提供サーバ１０４で作成する代わりに、他のサーバから作成済みの相関度データを取得するように構成することもできる。
【００３２】
以降、実施の形態１と実施の形態２のそれぞれの場合におけるユーザ利用時のシステムの処理について、図３のシーケンスチャートを参照しながら説明する。
【００３３】
（実施の形態１におけるユーザ利用時の処理）
ユーザがユーザクライアント１０１上に表示されている処理開始のボタンを押すことにより、ユーザクライアント１０１からアクセス情報提供サーバ１０４へ検索キーワードランキング一覧を要求するメッセージデータが送信される（Ｓ１０１）。
【００３４】
アクセス情報提供サーバ１０４ではこのメッセージデータを受信すると、集計結果格納部１０８に格納されている検索キーワードの所定の期間における使用回数の集計結果を読み出し、通信処理部１０５を介して、当該集計結果を検索キーワード一覧表示データとして、ユーザクライアント１０１へ送信する（Ｓ１０２，Ｓ１０３）。
【００３５】
検索キーワード一覧表示データを受信したユーザクライアント１０１では、検索キーワード一覧表示データが、検索キーワードランキングとして表示される（Ｓ１０４，Ｓ１０５）。図４に検索キーワードランキング表示画面４０１を示す。
【００３６】
ユーザがランキング中の検索キーワードの１つを選択すると、選択された検索キーワードがアクセス情報提供サーバ１０４へ送信される（Ｓ１０６）。アクセス情報提供サーバ１０４が、送信された検索キーワードを受信すると（Ｓ１０７）、検索条件作成処理部１０９において、ユーザによってランキングから選択された検索キーワードとこの検索キーワードと相関度の高い検索キーワード上位Ｎ件からなる検索条件情報を作成する。この処理が終了すると、作成された検索条件情報に相関度の高い検索キーワードＮ件のうち、１つのみしか選択できないようにする選択制限情報とＡＮＤ検索演算子を加え検索条件データを作成する（Ｓ１０８）。そして、当該検索条件データをユーザクライアント１０１へ送信する（Ｓ１０９）。
【００３７】
図５に示すように、ユーザクライアント１０１で受信された検索条件データは、既に表示されている検索キーワードランキング表示画面５０１に加えて、ＡＮＤ検索用関連キーワード選択画面５０２として表示される（Ｓ１１０、Ｓ１１１）。
【００３８】
すなわち、ユーザクライアント１０１から見ると、検索キーワードランキング表示画面において、表示された「大相撲」というキーワードから、「今月に大相撲のある力士が引退した」という事象に気付き、そのニュース記事を検索する目的で「大相撲」を選択すると（Ｓ１０６）、「大相撲」との相関度の高い関連キーワードＮ件からなるＡＮＤ検索用関連キーワード選択画面が図５に示すようにサブウィンドウとして表示されることになる（Ｓ１１１）。
【００３９】
このＡＮＤ検索用関連キーワード選択画面では、検索条件データに含まれる選択制限情報によりユーザに「大相撲」に関連のあるキーワードを１つのみ選択させる。そして、ＡＮＤ検索演算子により、選択されたキーワードと「大相撲」とのＡＮＤ検索が検索エンジン１１０にて実行される。
【００４０】
すなわち、この画面から、関連キーワード「引退」を選択すると、「大相撲」「引退」によるＡＮＤ検索式が選択済み検索条件データとして検索エンジン１１０へ送信される（Ｓ１１２）。検索エンジン１１０は、受信した選択済み検索条件データである検索式からキーワード検索を実行し、検索結果データをユーザクライアント１０４へ送信する（Ｓ１１３，Ｓ１１４）。ユーザクライアント１０４にて、受信された検索結果データは図６のように画面表示される（Ｓ１１５，Ｓ１１６）。
【００４１】
この画面において、ユーザが閲覧を希望する記事へのリンクを選択すると（Ｓ１１７）、当該リンクに対応するコンテンツ提供サーバ１０３へ該当する記事データを要求するためのメッセージが送信される。コンテンツ提供サーバ１０３では、そのメッセージを受信すると（Ｓ１１８）、該当する記事データをユーザクライアント１０１へ配信する（Ｓ１１９）。ユーザクライアント１０１では、受信された当該コンテンツデータが画面上で表示される（Ｓ１２０，Ｓ１２１）。
【００４２】
なお、Ｓ１１７にて所望のコンテンツがない場合には、Ｓ１０５の検索キーワード一覧表示に戻り、上記の処理を再度行うことができる。
【００４３】
（実施の形態２におけるユーザ利用時の処理）
実施の形態２についても処理フローは実施の形態１と同様であるので図３を参照して説明する。
【００４４】
ユーザがユーザクライアント１０１上に表示されている処理開始のボタンを押すことにより、ユーザクライアント１０１からアクセス情報提供サーバ１０４へ検索キーワードランキング一覧を要求するメッセージデータが送信される（Ｓ１０１）。
【００４５】
アクセス情報提供サーバ１０４ではこのメッセージデータを受信すると、集計結果格納部１０８に格納されている検索キーワードの所定の期間における使用回数の集計結果を読み出し、通信処理部１０５を介して、当該集計結果を検索キーワード一覧表示データとして、ユーザクライアント１０１へ送信する（Ｓ１０２，Ｓ１０３）。
【００４６】
検索キーワード一覧表示データを受信したユーザクライアント１０１では、検索キーワード一覧表示データが、実施の形態１と同様に図４に示す検索キーワードランキングとして表示される（Ｓ１０４，Ｓ１０５）。
【００４７】
ユーザがランキング中の検索キーワードの１つを選択すると、選択された検索キーワードがアクセス情報提供サーバ１０４へ送信される（Ｓ１０６）。アクセス情報提供サーバ１０４が、送信された検索キーワードを受信すると（Ｓ１０７）、検索条件作成処理部１０９において、ユーザによってランキングから選択された検索キーワードとこの検索キーワードと相関度の高い検索キーワード上位Ｎ件からなる検索条件情報を作成する。この処理が終了すると、作成された検索条件情報に検索演算子等を加え、後述する検索条件設定画面をユーザクライアント１０１にて表示できるように検索条件データを作成する（Ｓ１０８）。そして、検索条件データをユーザクライアント１０１へ送信する（Ｓ１０９）。
【００４８】
ユーザクライアント１０１で受信された検索条件データは、図７に示すように、選択した検索キーワード５１１、上位Ｎ件の相関度の高い関連キーワード５１３、選択用チェックボックス５１７、検索条件選択ボタン５１４、検索開始ボタン５１２、検索条件表示ボックス５１６から構成される検索条件設定画面として表示される（Ｓ１１０、Ｓ１１１）。
【００４９】
この検索条件設定画面において、表示された「大相撲」「引退」というキーワードから、「今月に大相撲のある力士が引退した」という事象に気付き、そのニュース記事を検索すべく、選択用チェックボタンを押下げ、関連キーワード１「引退」と検索条件選択ボタンの「ＡＮＤ」を選択し、本事象と関連の無い関連キーワード２「番付」と検索条件選択ボタンの「ＮＯＴ」を選択し、検索開始ボタンを押下げると、この選択済みの検索条件を表現する検索式が選択済み検索条件データとしてアクセス情報提供サーバ１０４へ送信される（Ｓ１１２）。この画面上での検索条件の設定過程においては、設定された検索条件を表現する検索式は編集可能な検索条件表示ボックスに表示される。なお、選択画面、選択ボタンを用いて検索条件を作成する代わりに、検索条件表示ボックスに検索条件を入力することにより検索条件を作成してもよい。
【００５０】
アクセス情報提供サーバ１０４は、受信した選択済み検索条件データである検索式を検索エンジン１１０へ送信する（Ｓ１１２）。なお、ユーザクライアント１０１が選択済み検索条件データを検索エンジン１１０へ送信するようにしてもよい。検索エンジン１１０は、受信した選択済み検索条件データである検索式からキーワード検索を実行し、検索結果データをユーザクライアント１０４へ送信する（Ｓ１１３，Ｓ１１４）。ユーザクライアント１０４にて、受信された検索結果データは図８のように画面表示される（Ｓ１１５，Ｓ１１６）。
【００５１】
この画面において、ユーザが閲覧を希望する記事へのリンクを選択すると（Ｓ１１７）、当該リンクに対応するコンテンツ提供サーバ１０３へ該当する記事データを要求するためのメッセージが送信される。コンテンツ提供サーバ１０３は、当該メッセージを受信すると（Ｓ１１８）、該当する記事データをユーザクライアント１０１へ配信する（Ｓ１１９）。ユーザクライアント１０１では、受信された当該コンテンツデータが画面上で表示される（Ｓ１２０，Ｓ１２１）。
【００５２】
なお、Ｓ１１７にて所望のコンテンツがない場合には、Ｓ１０５の検索キーワード一覧表示に戻り、上記の処理を再度行うことができる。
【００５３】
本実施の形態におけるアクセス情報提供サーバ１０４における処理はアクセス情報提供サーバ１０４に搭載されたプログラムにより実行される。このプログラムは、コンピュータが読み取りできる記録媒体、例えば、ＦＤ（フロッピー（登録商標）ディスク）や、ＭＯ、ＲＯＭ、メモリカード、ＣＤ−ＲＯＭ、ＤＶＤ、リムーバブルディスクなどに記録して、保存したり、配布したりすることが可能である。また、そのプログラムは、インターネットや電子メールなど、ネットワークを通して提供することも可能である。
【００５４】
なお、本発明は、上記の実施例に限定されることなく、特許請求の範囲内において、種々変更・応用が可能である。
【００５５】
【発明の効果】
上記のように本発明によれば、トレンド情報として、検索キーワードのランキング情報を提供するサービスにおいて、ユーザがユーザクライアント上にランキング表示された検索キーワードを利用したキーワード検索を行う際に、そのキーワードと関連するキーワードをユーザ側に提示し、ユーザが検索条件を任意に設定できるようにしたので、トレンドに焦点を当てた検索範囲の絞り込みが可能となり、ユーザが検索キーワードのランキングから、トレンド情報を効率的に検索できるようになる。
【図面の簡単な説明】
【図１】本発明の実施の形態におけるシステム構成図である。
【図２】本発明の実施の形態における検索キーワードと相関係数のマトリックス表示の図である。
【図３】本発明の実施の形態におけるユーザ利用時の処理フロー図である。
【図４】本発明の実施の形態における検索キーワードランキング表示の例である。
【図５】本発明の実施の形態１における検索条件設定時の画面例である。
【図６】本発明の実施の形態１における検索結果の画面例である。
【図７】本発明の実施の形態２における検索条件設定時の画面例である。
【図８】本発明の実施の形態２における検索結果の画面例である。
【符号の説明】
１０１  ユーザクライアント
１０３  コンテンツ提供サーバ
１０４  アクセス情報提供サーバ
１１０  検索エンジン
１０６  検索キーワードログ情報処理部
１０７  アクセス情報集計処理部
１０８  集計結果格納部
１０９  検索条件作成処理部
１０５  通信処理部
１０２  インターネット網
４０１、５０１  検索キーワードランキング表示画面
５０２  ＡＮＤ検索用関連キーワード選択画面
５１１  検索キーワード
５１２  検索開始ボタン
５１３  関連キーワード
５１４  検索条件選択ボタン
５１５  検索条件選択画面
５１６  検索条件表示ボックス
５１７  選択用チェックボックス
【図１】
2004348554.tif 000003
【図２】
2004348554.tif 000004
【図３】
2004348554.tif 000005
【図４】
2004348554.tif 000006
【図５】
2004348554.tif 000007
【図６】
2004348554.tif 000008
【図７】
2004348554.tif 000009
【図８】
2004348554.tif 000010